(57)【要約】【課題】表示モードの切り替えに起因する階調表示の変化を抑えるために、精度の良く各表示モードにおける階調信号−輝度特性を同じにし得る表示装置を提供する。【解決手段】液晶表示装置には、必要階調数６４の例えば１６倍の階調数１０２４における各階調基準電位を出力すべく１個のラダー抵抗器７による抵抗分圧比で決定される出力端子１１の群を備えた階調基準電位生成回路３０と、出力端子１１の群から、表示モードに応じた必要階調数６４における各階調レベルの出力端子１１を設定するメモリからなる不揮発メモリ６と、不揮発メモリ６にて設定された出力端子１１から、入力階調信号に対する出力端子１１を選択して取り出して表示パネルに電圧印加するセレクタ１２とが設けられている。【選択図】  図１
2004157288.tif 000002
【特許請求の範囲】
【請求項１】
反射表示と透過表示との両方の表示を行うとともに、印加電圧と透過率又は印加電圧と反射率との関係が反射表示と透過表示との表示モードで異なる半透過方式の表示装置において、
電源電圧を分圧すべく２つの可変抵抗器とそれら２つの可変抵抗器の間に設けられて必要階調レベル数の階調基準電位を出力するラダー抵抗器との組み合わせを２組備えた階調基準電位生成手段が設けられているととともに、
上記階調基準電位生成手段には、各可変抵抗器の抵抗値を設定すべく、表示モード毎の抵抗値設定データが記憶された不揮発性メモリが設けられていることを特徴とする表示装置。
【請求項２】
前記２組のラダー抵抗器は、正極性の階調基準電位生成と逆極性の階調基準電位生成とに用いられることを特徴とする請求項１記載の表示装置。
【請求項３】
反射表示と透過表示との両方の表示を行うとともに、印加電圧と透過率又は印加電圧と反射率との関係が反射表示と透過表示との表示モードで異なる半透過方式の表示装置において、
必要階調数のＮ倍（Ｎは２以上の整数）の階調数における各階調基準電位を出力すべく１個のラダー抵抗器による抵抗分圧比で決定される出力端子群を備えた階調基準電位生成手段と、
上記出力端子群から、表示モードに応じた必要階調数における各階調レベルの出力端子を設定するメモリからなる出力端子設定手段と、
上記出力端子設定手段にて設定された出力端子から、入力階調信号に対する出力端子を選択して取り出して表示画面に電圧印加する選択手段とが設けられていることを特徴とする表示装置。
【請求項４】
前記メモリは不揮発性にてなり、
その不揮発性のメモリには、表示モード毎に該表示モードに応じた必要階調数における各階調レベルに対する出力端子設定データが記憶されていることを特徴とする請求項３記載の表示装置。
【発明の詳細な説明】
【０００１】
【発明の属する技術分野】
本発明は、反射表示と透過表示との両方の表示を行うとともに、印加電圧と透過率又は印加電圧と反射率との関係が反射表示と透過表示との表示モードで異なる半透過方式の液晶表示装置等の表示装置に関するものである。
【０００２】
【従来の技術】
液晶表示装置をはじめとする表示装置では、一般に、階調特性は、入力階調信号に対して出力輝度が線形であることが良いとされる。ここで、入力階調信号値対出力輝度の特性をγ特性という。このγ特性とは、具体的には、表示装置の輝度Ｌが表示装置への入力階調信号値Ｅのγ乗に比例して変化することをいう。これを式で表すと、Ｌ＝ＫＥγ（一般にγ＝２．２〜３、Ｋは定数）である。
【０００３】
このように、表示装置は、入力階調信号に対する出力輝度が線形ではなく、上記γ特性の関係を持つものが多いため、そのままでは正しい階調表示ができない。
【０００４】
そこで、表示装置では、図７において「一般的な画像のγ逆特性」として示すように、正しい階調表現を行うためには、このことを考慮して予め入力階調信号値Ｅの１／γ乗を用いて補正をかける必要がある。これをγ補正という。これにより、同図において、「正しい階調特性」として示すように、Ｌ＝ＫＥ（Ｋは定数）となる入力階調信号に対して出力輝度が線形となる関係が得られる。
【０００５】
ところで、γ逆特性に対応するγ特性を得るためには、図８に示すように、表示装置のγ補正回路を用いる。このγ補正回路では、６４階調を実現するために、６４段階に区切った６４個の出力端子からいずれかの出力端子を各セレクタにて選ぶことによって、最適な６４階調を実現する。これにより、正しい階調表示ができるようになる。なお、上記γ補正回路は、図９に示すように、液晶表示装置７０のソースドライバ７１に内蔵されている。
【０００６】
上記従来の液晶表示装置では、γ補正の最適値を一度設定すると、液晶表示装置の動作中の変更は不可能であるものの、表示モードが不変の場合においては問題なかった。
【０００７】
しかしながら、近年では、明るい場所では低消費電力化のため、バックライトをＯＦＦして外部光を用いる反射方式（仮に「モード１」と呼ぶ）と、暗い場所では従来のようにバックライトによる透過方式（仮に「モード２」と呼ぶ）の両方の利点を合わせた半透過方式の液晶表示装置が市販されている。
【０００８】
上記半透過方式の液晶表示装置においては、透過型から反射型に切り替えると、図１０に示すように、階調−輝度特性が完全に一致しないため、同じ画像でも見え方が違ってしまう。この理由は、図１１に示すように、透過時と反射時との差によって、印加電圧（Ｖ）−透過率（Ｔ）特性が一致していないためである。なお、同図においては、印加電圧（Ｖ）−透過率（Ｔ）の特性について説明しているが、印加電圧（Ｖ）−反射率との関係においても同様のことが言える。
【０００９】
また、それぞれの表示モードで階調表示を変えたいというニーズも考えられる。つまり、１つの階調設定ではユーザに違和感を与えてしまう。
【００１０】
そこで、図１２に示すように、ソースドライバの階調−電圧印加特性の特性カーブを複数用意しておき、それぞれの表示モードを切り替えるときに連動して切り替えるようにする。なお、同図では設定は２つとしているが、勿論、２つ以上の設定がありその中から選べるようにしてもよい。これによって、図１３に示すように、階調−輝度特性を透過時と反射時で完全に一致させることができる。
【００１１】
表示モードによって階調レベルの変更が可能な従来の表示装置として、例えば特許文献１では、図１４に示すように、２種類の基準電位発生回路８１・８２を用意しておき、これら基準電位発生回路８１・８２のいずれかを反射／透過判定信号にて選択することにより、「透過」及び「反射」の階調毎の透過率／反射率を合わせている。
【００１２】
また、例えば特許文献２や特許文献３では、従来、γ補正回路の基準電圧を作る回路が抵抗分圧比で決定される構成となっており、使用モードに合わせてγ補正係数を変えることができなかったという問題に鑑み、図１５に示すように、γ補正回路９０の基準電圧に係る情報をメモリ９１に蓄積しておき、それを取り出してＤ／Ａ変換して基準電圧Ｖ１〜Ｖ１０を作るようにしている。これにより、簡単に任意のγ補正係数を得ることができるとしている。
【００１３】
【特許文献１】
特開２０００−１９３９３６号公報（平成１２年７月１４日公開）
【００１４】
【特許文献２】
特開平１０−３３３６４８号公報（１９９８年１２月１８日公開）
【００１５】
【特許文献３】
特開昭６３−３８９８９号公報（１９８８年２月１９日公開）
【００１６】
【発明が解決しようとする課題】
しかしながら、上記従来の表示装置のうち、特許文献１では、各表示モードにおいては再設定が不可能なためモード切り替え毎の最適値への変更は不可能であり、精度の良く各表示モードにおける階調信号−輝度特性が同じにすることができないという問題点を有している。
【００１７】
また、特許文献２及び特許文献３においても、階調補正電圧を離散的にしか変更できないので、階調特性を滑らかに変えるためには階調補正電圧の入力ポイントを多く持つ必要があり、その結果、やはり精度の良く各表示モードにおける階調信号−輝度特性が同じにすることができないという問題点を有している。
【００１８】
本発明は、上記従来の問題点に鑑みなされたものであって、その目的は、表示モードの切り替えに起因する階調表示の変化を抑えるために、精度の良く各表示モードにおける階調信号−輝度特性を同じにし得る表示装置を提供することにある。
【００１９】
【課題を解決するための手段】
本発明の表示装置は、上記課題を解決するために、反射表示と透過表示との両方の表示を行うとともに、印加電圧と透過率又は印加電圧と反射率との関係が反射表示と透過表示との表示モードで異なる半透過方式の表示装置において、電源電圧を分圧すべく２つの可変抵抗器とそれら２つの可変抵抗器の間に設けられて必要階調レベル数の階調基準電位を出力するラダー抵抗器との組み合わせを２組備えた階調基準電位生成手段が設けられているととともに、上記階調基準電位生成手段には、各可変抵抗器の抵抗値を設定すべく、表示モード毎の抵抗値設定データが記憶された不揮発性メモリが設けられていることを特徴としている。
【００２０】
上記の発明によれば、階調基準電位生成手段は、電源電圧を分圧すべく２つの可変抵抗器とそれら２つの可変抵抗器の間に設けられて必要階調レベル数の階調基準電位を出力するラダー抵抗器との組み合わせを２組備えている。そして、階調基準電位生成手段には、各可変抵抗器の抵抗値を設定すべく、表示モード毎の抵抗値設定データが記憶された不揮発性メモリが設けられているので、この不揮発性メモリの抵抗値設定データに基いて、可変抵抗器の抵抗値が設定される。したがって、この不揮発性メモリの抵抗値設定データを変更することにより、実質的に、任意の階調基準電位を出力することができる。
【００２１】
したがって、表示モードの切り替えに起因する階調表示の変化を抑えるために、精度の良く各表示モードにおける階調信号−輝度特性を同じにし得る表示装置を提供することができる。
【００２２】
また、本発明の表示装置は、上記記載の表示装置において、前記２組のラダー抵抗器は、正極性の階調基準電位生成と逆極性の階調基準電位生成とに用いられることを特徴としている。
【００２３】
上記の発明によれば、２組のラダー抵抗器は、正極性の階調基準電位生成と逆極性の階調基準電位生成とに用いられる。すなわち、例えば、液晶表示装置においては、正極性の階調基準電位と逆極性の階調基準電位とを印加する必要がある。
【００２４】
この点、本発明では、２つの２組の可変抵抗器つまり計４個の可変抵抗器を設けることによって、正極性の階調基準電位生成と逆極性の階調基準電位生成とにおいて、任意の階調レベルの階調基準電位を生成することができる。
【００２５】
したがって、階調基準電位生成手段をコンパクトにしつつ、かつ不揮発性メモリに書き込む情報量も非常に小さくてすむ。
【００２６】
また、本発明の表示装置は、上記課題を解決するために、反射表示と透過表示との両方の表示を行うとともに、印加電圧と透過率又は印加電圧と反射率との関係が反射表示と透過表示との表示モードで異なる半透過方式の表示装置において、必要階調数のＮ倍（Ｎは２以上の整数）の階調数における各階調基準電位を出力すべく１個のラダー抵抗器による抵抗分圧比で決定される出力端子群を備えた階調基準電位生成手段と、上記出力端子群から、表示モードに応じた必要階調数における各階調レベルの出力端子を設定するメモリからなる出力端子設定手段と、上記出力端子設定手段にて設定された出力端子から、入力階調信号に対する出力端子を選択して取り出して表示画面に電圧印加する選択手段とが設けられていることを特徴としている。
【００２７】
上記の発明によれば、階調基準電位生成手段には、必要階調数のＮ倍（Ｎは２以上の整数）の階調数における各階調基準電位を出力すべく１個のラダー抵抗器による抵抗分圧比で決定される出力端子群が備えられている。
【００２８】
したがって、ラダー抵抗器は１個であるので、複数設ける場合に比べて階調基準電位生成手段が大きくなることはない。
【００２９】
また、出力端子群は、必要階調数のＮ倍（Ｎは２以上の整数）の階調数における各階調基準電位が用意される。したがって、必要階調数での階調レベルに対して、さらに、細かい階調レベルの階調基準電位が出力されているので、これを選択することにより、精度よくγ補正を行うことができる。
【００３０】
また、出力端子設定手段は、メモリからなっているとともに、出力端子群から、表示モードに応じた必要階調数における各階調レベルの出力端子を設定するとともに、選択手段は、上記出力端子設定手段にて設定された出力端子から、入力階調信号に対する出力端子を選択して取り出して表示画面に電圧印加する。
【００３１】
したがって、例えば、表示装置にコマンドインターフェースによるアクセスが可能な不揮発性のメモリを設置して、表示装置の複数の表示モードそれぞれに対応するγ補正値を記憶させておく。
【００３２】
この結果、階調表示が正しくなり、屋内、屋外問わず表示画像の品位向上が可能となる。
【００３３】
したがって、表示モードの切り替えに起因する階調表示の変化を抑えるために、精度の良く各表示モードにおける階調信号−輝度特性を同じにし得る表示装置を提供することができる。
【００３４】
【発明の実施の形態】
本発明の実施の一形態について図１ないし図６に基づいて説明すれば、以下の通りである。なお、本実施の形態では、表示装置としての液晶表示装置について説明するが、表示装置は必ずしも液晶表示装置に限らず、印加電圧と透過率又は印加電圧と反射率との関係が反射表示と透過表示とで異なるものであれば、他の表示装置でもよい。
【００３５】
本実施の形態の表示装置としての液晶表示装置１０は、図２に示すように、表示画面としての表示パネル１を有しているとともに、この表示パネル１を駆動するためにソースドライバ２及びゲートドライバ３を備えている。上記ソースドライバ２には、コマンドインターフェース（Ｉ／Ｆ）４を介してパーソナルコンピュータ（ＰＣ）５が接続されており、これにより、パーソナルコンピュータ（ＰＣ）５からの指示に基く表示が表示パネル１にて行われるようになっている。
【００３６】
上記の液晶表示装置１０は、図示しないバックライトをＯＦＦして外部光を用いる反射方式（仮に「モード１」と呼ぶ）と、暗い場所ではバックライトによる透過方式（仮に「モード２」と呼ぶ）の両方の表示モードが可能な半透過方式となっている。
【００３７】
本実施の形態では、上記の液晶表示装置１０には、出力端子設定手段としての不揮発メモリ６が設けられており、この不揮発メモリ６には、反射用データ６ａ及び透過用データ６ｂが格納されている。
【００３８】
上記不揮発メモリ６は、上記ソースドライバ２に接続されており、これによって、不揮発メモリ６に記憶された反射用データ６ａ及び透過用データ６ｂがソースドライバ２にて使用できるようになっている。すなわち、この不揮発メモリ６は、例えばパーソナルコンピュータ（ＰＣ）５からコマンドインターフェース（Ｉ／Ｆ）４を介したアクセスが可能となっている。なお、コマンドインターフェース（Ｉ／Ｆ）４とは、８０系ＣＰＵに代表されるｎビット（ｎは、８、９、１６等）のＣＰＵバスインターフェースをいう。
【００３９】
上記不揮発メモリ６の反射用データ６ａ及び透過用データ６ｂには、液晶表示装置１０の表示モードそれぞれに対応するγ補正値が記憶されている。
【００４０】
これにより、モード１からモード２への変更や、その逆等、表示モードの変化に連動して対応する反射用データ６ａ及び透過用データ６ｂの最適値をコマンドにより切り替えることによって、液晶表示装置１０の動作中でも容易に上記反射用データ６ａ及び透過用データ６ｂをその最適値に補正することができる。この結果、階調表示が正しくなり、屋内、屋外問わず表示画像の品位向上が可能となるようになっている。
【００４１】
また、上記の不揮発メモリ６を搭載することによって、上記説明以外の表示モードでγ特性の切り替えが必要な場合でも、複雑な回路を組むことなく容易にγ特性を最適値に設定できるので、非常に実用的な液晶表示装置１０となる。
【００４２】
ここで、上記液晶表示装置１０において、上述したような各表示モードで最適なγ補正を行うための具体的な構成及びその方法について述べる。
【００４３】
まず、図１（ａ）（ｂ）に示すように、本実施の形態の階調基準電位生成手段としての階調基準電位生成回路２０は、必要階調数６４の例えば１６倍の階調数における各階調基準電位を出力すべく１個のラダー抵抗器７による抵抗分圧比で決定される出力端子１１の群を備えている。
【００４４】
また、上記出力端子１１の群における各出力端子１１には、選択手段としての各セレクタ１２…が接続されるとともに、この各セレクタ１２…には、出力端子設定手段としての不揮発メモリ６が接続されている。
【００４５】
そして、上記不揮発メモリ６は、表示モードに応じた必要階調数６４における各階調レベルの出力端子１１を設定するものである一方、セレクタ１２…は、上記不揮発メモリ６にて設定された出力端子１１から、入力階調信号に対する出力端子１１を選択して取り出して表示パネル１に電圧印加するようになっている。
【００４６】
すなわち、本実施の形態では、γ補正の１つの方法として、図１（ａ）（ｂ）に示すように、カラーパレット（Ｃｏｌｏｒ  ｐａｌｅｔｔｅ）を用いる方法を採用している。
【００４７】
具体的には、本実施の形態の階調基準電位生成回路２０は、例えば６４階調を実現するために、この６４階調よりも多い階調区分を用意しておき、その中から任意の６４階調を選択する。なお、本実施の形態では、必要階調数として６４個の場合について説明しているが、必ずしもこれに限ることはない。
【００４８】
詳細には、同図（ａ）に示すように、１０２４段階に区切った出力端子１１…から任意の６４個の出力端子１１をそれぞれのセレクタ１２…にて選ぶことによって、最適な６４階調を実現する。この場合に、いずれの６４個の出力端子１１を選択するかについては、図１（ｂ）に示すように、不揮発メモリ６にデータが格納されているので、反射方式及び透過方式に応じた出力端子１１が選択される。なお、本実施の形態では、階調基準電位生成回路２０は、必要階調数として６４個に対して、出力端子１１は１０２４個となっている。しかし、必ずしもこれに限らず、必要階調数のＮ倍（Ｎは２以上の整数）の階調数における各階調基準電位を出力するものであればよい。本実施の形態では、上述したように、Ｎ＝１０２４／６４＝１６である。なお、このＮは、γ補正の高精度化の観点からは、多い方がよい。
【００４９】
この方法においては、図３（ａ）（ｂ）に示すように、１ドット毎に表示を行う点順次方式であれば、高性能なＤ／Ａ変換器（ＤＡＣ：Ｄｉｇｉｔａｌ−ｔｏ−Ａｎａｌｏｇ  Ｃｏｎｖｅｒｔｅｒ）１３を用いて１０２４階調分の出力端子１１…を切り替えれば良い。
【００５０】
しかし、図４（ａ）（ｂ）に示すように、１水平期間（１Ｈ）毎の表示を行う線順次方式では、ソースライン１４毎にＤ／Ａ変換器（ＤＡＣ）１３を用意する必要があるので、ソースライン数×１０２４階調分の出力端子１１…を用意する必要があり、出力端子１１…を作りこむのが大変になるので現実的ではない。
【００５１】
そこで、もう少し簡便に実現するものとして、図５（ａ）に示すように、階調基準電位生成手段としての階調基準電位生成回路３０には、電源電圧（ＶＯＨ−ＶＯＬ）を分圧すべく、一方には、２つの可変抵抗器１５・１６とそれら２つの可変抵抗器１５・１６の間に設けられて必要階調レベル数の階調基準電位を出力するラダー抵抗器７が設けられ、他方には、２つの可変抵抗器１７・１８とそれら２つの可変抵抗器１７・１８の間に設けられて必要階調レベル数の階調基準電位を出力するラダー抵抗器７が設けられている。
【００５２】
すなわち、上記２組のラダー抵抗器７・７は、正極性の階調基準電位生成と逆極性の階調基準電位生成とに用いられるようになっている。したがって、同図において左側のラダー抵抗器７からは、正極性の階調基準電位であるＶ０＋〜Ｖ６３＋が取り出される一方、同図において右側のラダー抵抗器７からは、逆極性の階調基準電位であるＶ６３−〜Ｖ０−が取り出されるようになっている。
【００５３】
また、階調基準電位生成回路３０には、各可変抵抗器１５〜１８の抵抗値Ｒ１〜Ｒ４を設定すべく、表示モード毎の抵抗値設定データが記憶された不揮発メモリ６が設けられている。
【００５４】
上記の階調基準電位生成回路３０では、可変抵抗器１５〜１８を設けておき、これら可変抵抗器１５〜１８の抵抗値を変えてＶ０〜Ｖ６３の電圧を変化させるようにしておく。上記可変抵抗器１５〜１８の抵抗値をどのように変えるかについては、図５（ｂ）に示すように、不揮発メモリ６に反射方式の場合には抵抗値Ｒ１・Ｒ２・Ｒ３・Ｒ４が選択され、透過方式の場合には抵抗値Ｒ１’・Ｒ２’・Ｒ３’・Ｒ４’が選択されるようになっている。
【００５５】
これによって、図６に示すように、階調特性を変化させ、入力階調信号に対して最適な出力電圧を得ることができる。
【００５６】
このように、実際には全ての階調信号に対して１つずつ設定していくのは現実的では無いため、いくつかのパターンのγ補正値を不揮発メモリ６に用意しておき、最適なものを用いるのが好ましい。
【００５７】
このように、本実施の形態の液晶表示装置１０では、階調基準電位生成回路２０には、必要階調数６４の例えば１６倍の階調数１０２４における各階調基準電位を出力すべく１個のラダー抵抗器７による抵抗分圧比で決定される出力端子１１の群が備えられている。
【００５８】
したがって、ラダー抵抗器７は１個であるので、複数設ける場合に比べて階調基準電位生成回路２０が大きくなることはない。
【００５９】
また、出力端子１１の群は、必要階調数６４の例えば１６倍の階調数１０２４における各階調基準電位が用意される。したがって、必要階調数６４での階調レベルに対して、さらに、細かい階調レベルの階調基準電位が出力されているので、これを選択することにより、精度よくγ補正を行うことができる。
【００６０】
また、不揮発メモリ６は、メモリからなっているとともに、出力端子１１群から、表示モードに応じた必要階調数６４における各階調レベルの出力端子１１を設定するとともに、セレクタ１２は、上記不揮発メモリ６にて設定された出力端子１１から、入力階調信号に対する出力端子１１を選択して取り出して表示パネル１に電圧印加する。
【００６１】
したがって、液晶表示装置１０にコマンドインターフェース４によるアクセスが可能な不揮発メモリ６を設置して、液晶表示装置１０の複数の表示モードそれぞれに対応するγ補正値が記憶されている。
【００６２】
この結果、階調表示が正しくなり、屋内、屋外問わず表示画像の品位向上が可能となる。
【００６３】
したがって、表示モードの切り替えに起因する階調表示の変化を抑えるために、精度の良く各表示モードにおける階調信号−輝度特性を同じにし得る液晶表示装置１０を提供することができる。
【００６４】
また、本実施の形態の液晶表示装置１０では、メモリは不揮発性にてなるので、液晶表示装置１０をＯＦＦしてもメモリに記憶された内容が消えることはない。
【００６５】
また、不揮発メモリ６には、表示モード毎に該表示モードに応じた必要階調数６４における各階調レベルに対する出力端子設定データが記憶されているので、この出力端子設定データによって、容易に表示モード毎の所望の各階調レベルに対する出力端子１１を設定することができる。
【００６６】
また、不揮発メモリ６を搭載することによって、表示モードでγ特性の切り替えが必要な場合でも、複雑な回路を組むことなく容易にγ特性を最適値に設定できるので、非常に実用的な液晶表示装置１０を提供することができる。
【００６７】
なお、前記特許文献１との違いは、本実施の形態の液晶表示装置１０では、階調特性を決定するラダー抵抗器７を複数本持たないこと、不揮発メモリ６を有していること、不揮発性メモリの設定を基に出力端子１１の値を制御している点が挙げられる。したがって、本実施の形態の液晶表示装置１０では、不揮発メモリ６を有することによって、設定変更も極めて簡単である。
【００６８】
したがって、設計値と実際のパネル特性のズレや、設計途上でのパネル特性の変更等に対して容易に設定変更が可能である。
【００６９】
また、本実施の形態の液晶表示装置１０では、階調基準電位生成回路３０は、電源電圧（ＶＯＨ−ＶＯＬ）を分圧すべく２つの可変抵抗器とそれら２つの可変抵抗器の間に設けられて必要階調レベル数の階調基準電位を出力するラダー抵抗器７との組み合わせを２組備えている。そして、階調基準電位生成回路３０には、各可変抵抗器１５〜１８の抵抗値を設定すべく、表示モード毎の抵抗値設定データが記憶された不揮発メモリ６が設けられているので、この不揮発メモリ６の抵抗値設定データに基いて、可変抵抗器１５〜１８の抵抗値が設定される。したがって、この不揮発メモリ６の抵抗値設定データを変更することにより、実質的に、任意の階調基準電位を出力することができる。
【００７０】
したがって、表示モードの切り替えに起因する階調表示の変化を抑えるために、精度の良く各表示モードにおける階調信号−輝度特性を同じにし得る表示装置を提供することができる。
【００７１】
また、本実施の形態の液晶表示装置１０では、２組のラダー抵抗器７・７は、正極性の階調基準電位生成と逆極性の階調基準電位生成とに用いられる。すなわち、例えば、液晶表示装置１０においては、正極性の階調基準電位と逆極性の階調基準電位とを印加する必要がある。
【００７２】
この点、本実施の形態では、２つの２組の可変抵抗器１５〜１８つまり計４個の可変抵抗器１５〜１８を設けることによって、正極性の階調基準電位生成と逆極性の階調基準電位生成とにおいて、任意の階調レベルの階調基準電位を生成することができる。
【００７３】
したがって、階調基準電位生成回路３０をコンパクトにしつつ、かつ不揮発メモリ６に書き込む情報量も非常に小さくてすむ。
【００７４】
なお、前記引用文献２及び引用文献３との違いは、引用文献２及び引用文献３では階調特性を滑らかに変えるには、階調補正電圧の入力ポイントを多く（実施例では１０ポイント、実際は＋書き込み／−書き込み用でその倍の２０ポイント必要となる）持たなければならないのに対して、本実施の形態の液晶表示装置１０では、２ポイント（＋書き込み／−書き込み用合わせても４ポイント必要となる）のデータで済むため、不揮発メモリ６に書き込む情報量が非常に小さくてすむ。
【００７５】
【発明の効果】
本発明の表示装置は、以上のように、電源電圧を分圧すべく２つの可変抵抗器とそれら２つの可変抵抗器の間に設けられて必要階調レベル数の階調基準電位を出力するラダー抵抗器との組み合わせを２組備えた階調基準電位生成手段が設けられているととともに、上記階調基準電位生成手段には、各可変抵抗器の抵抗値を設定すべく、表示モード毎の抵抗値設定データが記憶された不揮発性メモリが設けられているものである。
【００７６】
それゆえ、不揮発性メモリの抵抗値設定データを変更することにより、実質的に、任意の階調基準電位を出力することができる。
【００７７】
したがって、表示モードの切り替えに起因する階調表示の変化を抑えるために、精度の良く各表示モードにおける階調信号−輝度特性を同じにし得る表示装置を提供することができるという効果を奏する。
【００７８】
また、本発明の表示装置は、上記記載の表示装置において、前記２組のラダー抵抗器は、正極性の階調基準電位生成と逆極性の階調基準電位生成とに用いられるものである。
【００７９】
それゆえ、２つの２組の可変抵抗器つまり計４個の可変抵抗器を設けることによって、正極性の階調基準電位生成と逆極性の階調基準電位生成とにおいて、任意の階調レベルの階調基準電位を生成することができる。
【００８０】
したがって、階調基準電位生成手段をコンパクトにしつつ、かつ不揮発性メモリに書き込む情報量も非常に小さくてすむという効果を奏する。
【００８１】
また、本発明の表示装置は、以上のように、必要階調数のＮ倍（Ｎは２以上の整数）の階調数における各階調基準電位を出力すべく１個のラダー抵抗器による抵抗分圧比で決定される出力端子群を備えた階調基準電位生成手段と、上記出力端子群から、表示モードに応じた必要階調数における各階調レベルの出力端子を設定するメモリからなる出力端子設定手段と、上記出力端子設定手段にて設定された出力端子から、入力階調信号に対する出力端子を選択して取り出して表示画面に電圧印加する選択手段とが設けられているものである。
【００８２】
それゆえ、ラダー抵抗器は１個であるので、複数設ける場合に比べて階調基準電位生成手段が大きくなることはない。
【００８３】
また、出力端子群は、必要階調数での階調レベルに対して、さらに、細かい階調レベルの階調基準電位が出力されているので、これを選択することにより、精度よくγ補正を行うことができる。
【００８４】
また、出力端子設定手段は、メモリからなっているとともに、出力端子群から、表示モードに応じた必要階調数における各階調レベルの出力端子を設定するとともに、選択手段は、上記出力端子設定手段にて設定された出力端子から、入力階調信号に対する出力端子を選択して取り出して表示画面に電圧印加する。
【００８５】
したがって、例えば、表示装置にコマンドインターフェースによるアクセスが可能な不揮発性のメモリを設置して、表示装置の複数の表示モードそれぞれに対応するγ補正値を記憶させておく。
【００８６】
この結果、階調表示が正しくなり、屋内、屋外問わず表示画像の品位向上が可能となる。
【００８７】
したがって、表示モードの切り替えに起因する階調表示の変化を抑えるために、精度の良く各表示モードにおける階調信号−輝度特性を同じにし得る表示装置を提供することができるという効果を奏する。
【図面の簡単な説明】
【図１】本発明における液晶表示装置の実施の一形態を示すものであり、（ａ）は階調基準電位生成回路の要部の構成を示すブロック図であり、（ｂ）は不揮発メモリに記録されているデータを示す説明図である。
【図２】上記液晶表示装置の全体概略構成を示すブロック図である。
【図３】（ａ）（ｂ）は点順次方式の階調基準電位生成回路を示すブロック図である。
【図４】（ａ）（ｂ）は線順次方式の階調基準電位生成回路を示すブロック図である。
【図５】（ａ）は上記液晶表示装置における他の階調基準電位生成回路の要部の構成を示すブロック図であり、（ｂ）は不揮発メモリに記録されているデータを示す説明図である。
【図６】入力階調信号と出力電圧との関係を示すグラフである。
【図７】入力階調信号と輝度との関係を示すグラフである。
【図８】従来の液晶表示装置におけるγ補正回路の構成を示すブロック図である。
【図９】上記液晶表示装置の全体概略構成を示すブロック図である。
【図１０】上記液晶表示装置における透過方式及び反射方式の入力階調信号と輝度との関係を示すグラフである。
【図１１】上記液晶表示装置における透過方式及び反射方式の印加電圧と透過率との関係を示すグラフである。
【図１２】上記液晶表示装置における透過方式及び反射方式の入力階調信号と印加電圧との関係を示すグラフである。
【図１３】理想状態の液晶表示装置における透過方式及び反射方式の入力階調信号と輝度との関係を示すグラフである。
【図１４】従来の他の液晶表示装置におけるγ補正回路の構成を示すブロック図である。
【図１５】従来のさらに他の液晶表示装置におけるγ補正回路の構成を示すブロック図である。
【符号の説明】
１        表示パネル（表示画面）
６        不揮発メモリ（出力端子設定手段）
７        ラダー抵抗器
１１        出力端子
１２        セレクタ（選択手段）
１５〜１８  可変抵抗器
２０        階調基準電位生成回路（階調基準電位生成手段）
３０        階調基準電位生成回路（階調基準電位生成手段）
【図１】
2004157288.tif 000003
【図２】
2004157288.tif 000004
【図３】
2004157288.tif 000005
【図４】
2004157288.tif 000006
【図５】
2004157288.tif 000007
【図６】
2004157288.tif 000008
【図７】
2004157288.tif 000009
【図８】
2004157288.tif 000010
【図９】
2004157288.tif 000011
【図１０】
2004157288.tif 000012
【図１１】
2004157288.tif 000013
【図１２】
2004157288.tif 000014
【図１３】
2004157288.tif 000015
【図１４】
2004157288.tif 000016
【図１５】
2004157288.tif 000017